(57)【要約】【課題】電子レンジでステーキ用肉を加熱する場合、肉に焼き目を入れることを可能にする。【解決手段】電子レンジ用調理器具は皿と蓋１００とからなり、皿の上側表面には凸状の第一のパターンが形成されており、蓋の下側表面には凸状の第二のパターン１０３が形成されている。皿の上側表面と蓋の下側表面との間に肉を挟み込んだ状態において、電子レンジ中で肉を加熱することにより、肉の上側には第二のパターン１０３と同様のパターンの焼き目が付き、肉の下側には第一のパターンと同様のパターンの焼き目が付く。【選択図】図１
0003132589.tif 000002
【実用新案登録請求の範囲】
【請求項１】
ともに耐熱性材料からなる皿と蓋とからなる電子レンジ用調理器具であって、
前記皿の上側表面には凸状の第一のパターンが形成されており、
前記蓋の下側表面には凸状の第二のパターンが形成されており、
前記皿の前記上側表面と前記蓋の前記下側表面との間に被加熱物を挟み込んだ状態において、電子レンジ中で前記被加熱物を加熱するものである電子レンジ用調理器具。
【請求項２】
前記皿の前記上側表面の外周縁に沿って周壁が形成されており、前記蓋の前記下側表面には前記周壁の内側に嵌まり込む外壁が形成されていることを特徴とする請求項１に記載の電子レンジ用調理器具。
【請求項３】
前記第一のパターン及び前記第二のパターンの少なくとも一方は格子状パターンであることを特徴とする請求項１または２に記載の電子レンジ用調理器具。
【請求項４】
前記第一のパターン及び前記第二のパターンの少なくとも一方の上端は波形または鋸歯形状に形成されていることを特徴とする請求項１乃至３の何れか一項に記載の電子レンジ用調理器具。
【請求項５】
前記第一のパターン及び前記第二のパターンの少なくとも一方の上端は尖った形状に形成されていることを特徴とする請求項１乃至４の何れか一項に記載の電子レンジ用調理器具。
【請求項６】
前記第一のパターン及び前記第二のパターンの少なくとも一方の少なくとも上端を含む領域にはエンボス加工が施されていることを特徴とする請求項１乃至５の何れか一項に記載の電子レンジ用調理器具。
【考案の詳細な説明】
【技術分野】
【０００１】
本考案は、電子レンジで調理を行う際に用いる電子レンジ用調理器具に関する。
【背景技術】
【０００２】
電子レンジ用調理器具の一例として特開平１−１５７６１７号公報に記載されたものがある。
【０００３】
同公報記載の電子レンジ用調理器具は、容器と、当該容器を密閉に近い状態で覆う上蓋とから構成されている。
【０００４】
容器と上蓋とは、マイクロ波を吸収して発熱する材料でつくられており、被加熱物を容器と上蓋との中に入れた状態において電子レンジ内で加熱することにより、被加熱物を加熱することができるようになっている。
【考案の開示】
【考案が解決しようとする課題】
【０００５】
上記公報に記載された電子レンジ用調理器具に限らず、これまでの電子レンジ用調理器具は、単に、被加熱物（肉、野菜などの食料品あるいは冷凍食品）を加熱するだけの機能を有するものにすぎないものであった。
【０００６】
被加熱物としての食材の中には、単に加熱するだけではなく、焼き目を入れることが好まれるものがある。例えば、ステーキ用肉は、単に焼いただけのものよりも、焼き目を入れて焼いたものの方が一般的に好まれている。
【０００７】
しかしながら、ステーキ用肉を電子レンジで調理する場合、従来の電子レンジ用調理器具では、ステーキ用肉を均一に加熱することしかできず、ステーキ用肉に焼き目を入れることは不可能であった。
【０００８】
本考案は以上のような問題点に鑑みてなされたものであり、電子レンジで食材を調理する場合であっても、ユーザーの好みに応じて、食材に焼き目を入れることを可能にする電子レンジ用調理器具を提供することを目的とする。
【課題を解決するための手段】
【０００９】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１０】
上記の目的を達成するため、本考案は、ともに耐熱性材料からなる皿（２００、２５０）と蓋（１００、１５０）とからなる電子レンジ用調理器具であって、前記皿（２００、２５０）の上側表面には凸状の第一のパターン（２０１）が形成されており、前記蓋（１００、１５０）の下側表面には凸状の第二のパターン（１０３）が形成されており、前記皿（２００、２５０）の前記上側表面と前記蓋（１００、１５０）の前記下側表面との間に被加熱物を挟み込んだ状態において、電子レンジ中で前記被加熱物を加熱するものである電子レンジ用調理器具を提供する。
【００１１】
前記皿（２５０）の前記上側表面の外周縁に沿って周壁（２５１）が形成されており、前記蓋（１５０）の前記下側表面には前記周壁（２５１）の内側に嵌まり込む外壁（１５１）が形成されていることが好ましい。
【００１２】
前記第一のパターン（２０１）及び前記第二のパターン（１０３）の少なくとも一方は格子状パターンであることが好ましい。
【００１３】
前記第一のパターン及び前記第二のパターンの少なくとも一方（３０３）の上端は波形または鋸歯形状に形成されていることが好ましい。
【００１４】
前記第一のパターン及び前記第二のパターンの少なくとも一方（４０３）の上端は尖った形状に形成されていることが好ましい。
【００１５】
前記第一のパターン及び前記第二のパターンの少なくとも一方の少なくとも上端を含む領域にはエンボス加工が施されていることが好ましい。
【考案の効果】
【００１６】
電子レンジの内部においては、被加熱物（例えば、食材としてのステーキ用肉）は全体的に加熱されるとともに、第一のパターン及び第二のパターンを介して熱が集中的に伝わるため、第一のパターン及び第二のパターンに接している部分は他の部分よりも加熱される度合いが高くなる。このため、本考案に係る電子レンジ用調理器具によれば、被加熱物を全体的に加熱することができるのみならず、被加熱物の上側には第二のパターンと同じパターンの焼き目を付けることができ、被加熱物の下側には第一のパターンと同じパターンの焼き目を付けることができる。
【００１７】
また、蓋に外壁を、皿に周壁をそれぞれ形成することにより、蓋を皿に対して蓋（または皿）の直径方向において固定可能であり、電子レンジでの加熱中に蓋が皿に対して位置的にずれることを防止することができる。
【考案を実施するための最良の形態】
【００１８】
（第一の実施形態）
図１（Ａ）は本考案の第一の実施形態に係る電子レンジ用調理器具を構成する蓋１００を上方から見た斜視図、図１（Ｂ）は蓋１００の縦断面図、図１（Ｃ）は蓋１００の底面図である。図２（Ａ）は本考案の第一の実施形態に係る電子レンジ用調理器具を構成する皿２００を上方から見た斜視図、図２（Ｂ）は皿２００の縦断面図である。
【００１９】
本考案の第一の実施形態に係る電子レンジ用調理器具は、図１（Ａ）乃至図１（Ｃ）に示す外形が円形であるほぼ平板状の蓋１００と、図２（Ａ）及び図２（Ｂ）に示す外形が円形である平板状の皿２００と、から構成されている。
【００２０】
蓋１００及び皿２００はともに発熱性材料からなる。例えば、電子レンジの内部で蓋１００及び皿２００を加熱すると、蓋１００及び皿２００は電子レンジから照射されるマイクロ波を吸収し、蓋１００及び皿２００自体が発熱を行う。
【００２１】
図１（Ａ）及び図１（Ｂ）に示すように、蓋１００の外周縁１０１から蓋１００の中心に向かう一定長さの領域１０２は上方にゆるやかに傾斜している。
【００２２】
図１（Ｃ）に示すように、蓋１００の下側表面（底面）には、凸状の格子状パターン１０３が形成されている。
【００２３】
図２（Ａ）及び図２（Ｂ）に示すように、皿２００の上側表面には、凸状のラインパターン２０１が形成されている。この凸状のラインパターン２０１は相互に平行な複数のラインから構成されている。
【００２４】
上記のような構成を有する本実施形態に係る電子レンジ用調理器具の使用方法及び効果を以下に説明する。
【００２５】
電子レンジでステーキ用肉を加熱する場合を想定する。
【００２６】
まず、ステーキ用肉を皿２００の上側表面（ラインパターン２０１が形成されている表面）上に乗せる。
【００２７】
次いで、格子状パターン１０３が形成されている下側表面が下向きになるように、蓋１００をステーキ用肉の上に乗せる。
【００２８】
これにより、ステーキ用肉は皿２００と蓋１００との間に挟まれた状態になる。具体的には、皿２００の上側表面に形成されているラインパターン２０１と蓋１００の下側表面に形成されている格子状パターン１０３との間に挟まれた状態になる。
【００２９】
このようにステーキ用肉が皿２００と蓋１００との間に挟まれた状態のまま、電子レンジの内部に入れ、加熱を行う。
【００３０】
電子レンジの内部においては、ステーキ用肉は全体的に加熱されるとともに、格子状パターン１０３及びラインパターン２０１を介して熱が集中的に伝わるため、格子状パターン１０３及びラインパターン２０１に接している部分は他の部分よりも加熱される度合いが高くなる。この結果として、ステーキ用肉の上側には格子状パターン１０３と同じパターンの焼き目が付き、ステーキ用肉の下側にはラインパターン２０１と同じパターンの焼き目が付く。
【００３１】
このように、本実施形態に係る電子レンジ用調理器具によれば、被加熱物としてのステーキ用肉を全体的に加熱することができるのみならず、ステーキ用肉の上側には、蓋１００の下側表面（底面）に形成されている格子状パターン１０３と同様のパターンの焼き目を付けることができ、さらに、ステーキ用肉の下側には、皿２００の上側表面に形成されているラインパターン２０１と同様のパターンの焼き目を付けることができる。
【００３２】
なお、蓋１００はそのまま皿として使用することも可能である。
【００３３】
本実施形態に係る電子レンジ用調理器具は上述の構成に限定されるものではなく、種々の変更が可能である。
【００３４】
本実施形態に係る電子レンジ用調理器具においては、蓋１００及び皿２００はいずれも円形形状を有しているが、蓋１００及び皿２００の外形形状は円形には限定されない。円形以外の他の形状を取ることも可能である。
【００３５】
また、蓋１００及び皿２００は相互に同一の外形形状を有する必要はなく、相互に異なる外形形状を有することも可能である。
【００３６】
また、蓋１００の下側表面（底面）に形成される凸状のパターンは格子状パターン１０３には限定されない。ユーザーの嗜好に応じて、任意の形状のパターンとすることができる。
【００３７】
同様に、皿２００の上側表面に形成される凸状のパターンはラインパターン２０１には限定されない。ユーザーの嗜好に応じて、任意の形状のパターンとすることができる。
【００３８】
また、蓋１００の下側表面（底面）に形成される凸状のパターンと皿２００の上側表面に形成される凸状のパターンとは相互に同一のパターンであってもよく、あるいは、相互に異なるパターンであってもよい。
【００３９】
（第二の実施形態）
図３（Ａ）は本考案の第二の実施形態に係る電子レンジ用調理器具を構成する蓋１５０を上方から見た斜視図、図３（Ｂ）は蓋１５０の縦断面図である。図４は本考案の第二の実施形態に係る電子レンジ用調理器具を構成する皿２５０の縦断面図である。
【００４０】
本実施形態に係る電子レンジ用調理器具を構成する蓋１５０は、第一の実施形態に係る電子レンジ用調理器具を構成する蓋１００と比較して、外壁１５１が形成されている点においてのみ異なっている。
【００４１】
外壁１５１は、格子状パターン１０３の外側において、蓋１５０の外周縁１０１に平行に、外周縁１０１から蓋１５０の中心に向かって一定距離の位置において、蓋１５０の下側表面（底面）から下方に向かって延びるように、形成されている。
【００４２】
また、本実施形態に係る電子レンジ用調理器具を構成する皿２５０は、第一の実施形態に係る電子レンジ用調理器具を構成する皿２００と比較して、周壁２５１が形成されている点においてのみ異なっている。
【００４３】
周壁２５１は、ラインパターン２０１の外側において、皿２５０の外周縁２０２に平行に、外周縁２０２から皿２５０の中心に向かって一定距離の位置において、皿２５０の上側表面から上方に向かって延びるように、形成されている。
【００４４】
蓋１５０の外壁１５１の外径は皿２５０の周壁２５１の内径に等しいか、あるいは、皿２５０の周壁２５１の内径よりもやや小さく設定されている。このため、蓋１５０の外壁１５１は皿２５０の周壁２５１の内側に嵌め込むことが可能である。
【００４５】
このため、本実施形態に係る電子レンジ用調理器具においては、蓋１５０を皿２５０に対して蓋１５０（または皿２５０）の直径方向に固定可能であり、電子レンジでの加熱中に蓋１５０が皿２５０に対して位置的にずれることを防止することができる。
【００４６】
（第三の実施形態）
図５は、本考案の第三の実施形態に係る電子レンジ用調理器具を構成する蓋の裏面側に形成されている凸状の格子状パターン３０３の拡大斜視図である。
【００４７】
図５に示すように、本実施形態に係る電子レンジ用調理器具を構成する蓋の裏面側に形成されている凸状の格子状パターン３０３の上端（使用時には下端）は波形に形成されている。すなわち、凸状の格子状パターン３０３は、格子状パターン３０３を含む平面内において、上端が波形形状に形成されている。
【００４８】
このように、格子状パターン３０３の上端を波形形状に形成することにより、蓋と皿との間に挟み込んで加熱した食材から蓋を取り外しやすくすることができる。
【００４９】
なお、図７に示すように、格子状パターン３０３の上端は波形形状に代えて、連続した三角形形状（鋸歯型形状）とすることも可能である。
【００５０】
なお、皿の上側表面に形成される凸状のラインパターンの上端も、格子状パターン３０３と同様に、波形形状にすることができる。
【００５１】
（第四の実施形態）
図７は、本考案の第四の実施形態に係る電子レンジ用調理器具を構成する蓋の裏面側に形成されている凸状の格子状パターン４０３の縦断面図である。
【００５２】
図７に示すように、本実施形態に係る電子レンジ用調理器具を構成する蓋の裏面側に形成されている凸状の格子状パターン４０３は頂点が鋭角をなすように形成されている。すなわち、本実施形態における格子状パターン４０３の上端は、格子状パターン４０３がなす平面と直角な平面内において、鋭角をなして形成されている。
【００５３】
このため、蓋と皿との間に挟み込んで加熱した食材から蓋を取り外しやすくすることができる。
【００５４】
なお、皿の上側表面に形成される凸状のラインパターンの上端も、格子状パターン４０３と同様に、尖った形状にすることができる。
【００５５】
（第五の実施形態）
図８は、本考案の第五の実施形態に係る電子レンジ用調理器具を構成する皿の上側表面に形成されている凸状のラインパターン２０１Ａの斜視図である。
【００５６】
本実施形態におけるラインパターン２０１Ａには、上端を含み、上端から底部に向かう一定の距離内の領域において、多数の微小な突起５０１が形成されている。
【００５７】
この突起５０１は、例えば、直径１．０ｍｍ、高さ０．１乃至０．２ｍｍの半球状をなしている。
【００５８】
このような多数の微小な突起５０１は、例えば、ラインパターン２０１Ａの上記領域に対してエンボス加工を施すことにより、形成することができる。
【００５９】
ラインパターン２０１Ａの上記領域に多数の微小な突起５０１を形成することにより、蓋と皿との間に挟み込んで加熱した食材から蓋を取り外しやすくすることができる。
【００６０】
なお、突起５０１は、皿の上側表面に形成されている凸状のラインパターン２０１Ａのみならず、蓋の下側表面（底面）に形成される凸状の格子状パターンに形成することも可能である。
【００６１】
さらには、上述の第一の実施形態のみならず、上述の第二乃至第四の実施形態に係る電子レンジ用調理器具に対して突起５０１を適用することも可能である。
【図面の簡単な説明】
【００６２】
【図１】図１（Ａ）は本考案の第一の実施形態に係る電子レンジ用調理器具を構成する蓋を上方から見た斜視図、図１（Ｂ）は当該蓋の縦断面図、図１（Ｃ）は当該蓋の底面図である。
【図２】図２（Ａ）は本考案の第一の実施形態に係る電子レンジ用調理器具を構成する皿を上方から見た斜視図、図２（Ｂ）は当該皿の縦断面図である。
【図３】図３（Ａ）は本考案の第二の実施形態に係る電子レンジ用調理器具を構成する蓋を上方から見た斜視図、図３（Ｂ）は当該蓋の縦断面図である。
【図４】本考案の第二の実施形態に係る電子レンジ用調理器具を構成する皿の縦断面図である。
【図５】本考案の第三の実施形態に係る電子レンジ用調理器具を構成する蓋の裏面側に形成されている凸状の格子状パターンの拡大斜視図である。
【図６】本考案の第三の実施形態に係る電子レンジ用調理器具を構成する蓋の裏面側に形成されている凸状の格子状パターンの他の例の拡大斜視図である。
【図７】本考案の第四の実施形態に係る電子レンジ用調理器具を構成する蓋の裏面側に形成されている凸状の格子状パターンの縦断面図である。
【図８】本考案の第五の実施形態に係る電子レンジ用調理器具を構成する皿の上側表面に形成されている凸状のラインパターンの斜視図である。
【符号の説明】
【００６３】
１００  第一の実施形態に係る電子レンジ用調理器具における蓋
１０１  外周縁
１０２  傾斜領域
１０３  格子状パターン
２００  第一の実施形態に係る電子レンジ用調理器具における皿
２０１  ラインパターン
１５０  第二の実施形態に係る電子レンジ用調理器具における蓋
１５１  外壁
２５０  第二の実施形態に係る電子レンジ用調理器具における皿
２５１  周壁
３０３  格子状パターン
４０３  格子状パターン
５０１  突起
【図１】
0003132589.tif 000003
【図２】
0003132589.tif 000004
【図３】
0003132589.tif 000005
【図４】
0003132589.tif 000006
【図５】
0003132589.tif 000007
【図６】
0003132589.tif 000008
【図７】
0003132589.tif 000009
【図８】
0003132589.tif 000010